(57)【要約】【課題】ある条件ごとに表示する画像の色を変化させる機能を有する場合でも、情報量を多くすることなく、メモリ資源を有効に活用する。【解決手段】画面を表示するためのデータであって色の指定が行われていない枠データと、前記枠データに指定される色であって、当該画像表示装置が再現可能な階調数と比べて少ない数の色を、所定の選択条件毎に複数記録する色テーブルと、前記選択条件と前記色テーブルに記録された色データとを対応付ける参照データと、を記録する記録手段と、選択された前記選択条件に応じて前記参照データを参照して、前記枠データに前記色データを指定する色指定手段と、前記指定された色データをもとに前記枠データに係る画像を表示する表示手段と、を有する。【選択図】図１
2013101223.tif 000002
【特許請求の範囲】
【請求項１】
所定の画像を表示する画像表示装置において、
画面を表示するためのデータであって色の指定が行われていない枠データと、前記枠データに指定される色であって、当該画像表示装置が再現可能な階調数と比べて少ない数の色を、所定の選択条件毎に複数記録する色テーブルと、前記選択条件と前記色テーブルに記録された色データとを対応付ける参照データと、を記録する記録手段と、
選択された前記選択条件に応じて前記参照データを参照して、前記枠データに前記色データを指定する色指定手段と、
前記指定された色データをもとに前記枠データに係る画像を表示させる表示手段と、を有することを特徴とする画像表示装置。
【請求項２】
前記色テーブルは、前記選択条件に含まれる第１の条件に対応付けられた色データを記録する第１のテーブルと、第２の条件に対応付けられた色データを記録する第２のテーブルとを少なくとも含み、
前記第２のテーブルには、前記第１のテーブルに記録された色データと異なる色データが記録されており、
前記色指定手段は、前記第２の条件で色データを指定する場合は、前記第１のテーブルと前記第２のテーブルとを用いて色データを指定することを特徴とする請求項１に記載の画像表示装置。
【請求項３】
前記第１のテーブルは、記録される色データの彩度平均値が最も低いものであることを特徴とする請求項２に記載の画像表示装置。
【請求項４】
当該画像表示装置は、少なくとも前記第２のテーブルを管理するサーバーとネットワークを介して接続可能であって、
前記色指定手段は、前記サーバーから前記第２のテーブルをダウンロードして使用することを特徴とする請求項２又は請求項３のいずれかに記載の画像表示装置。
【請求項５】
前記枠データは、ＯＳＤ画像を表示するものであることを特徴とする請求項１から請求項４のいずれか一項に記載の画像表示装置。
【請求項６】
前記選択条件は、当該画像表示装置に指定されるブランドの種別であることを特徴とする請求項１から請求項５のいずれか一項に記載の画像表示装置。
【発明の詳細な説明】
【技術分野】
【０００１】
本発明は、所定の画像を表示する画像表示装置に関し、特に使用に応じて所定画像の色を変更して表示する画像表示装置に関する。
【背景技術】
【０００２】
従来、同一の製品であっても販売されるブランドや仕向け地に応じて所定画像の色を変更して販売する場合がある。例えば、「ブランド１」と「ブランド２」との間に、イメージカラーによる差別化が生じている場合は、同一の製品を各ブランドで販売する際、ユーザーからの操作入力を受け付けるＯＳＤ画像の色を「ブランド１」と「ブランド２」とで各イメージカラーを付して販売する場合がある。そのため、従来では、各ブランド又は仕向け地に対応できるよう、製品が保持するメモリに各ブランド又は仕向け地毎の画像データを記録していた（例えば、特許文献１−３参照。）。
【先行技術文献】
【特許文献】
【０００３】
【特許文献１】特開２００８−１４５６６３号公報
【特許文献２】特開２００４−５４０８７号公報
【特許文献３】特開２００５−３４６０９６号公報
【発明の概要】
【発明が解決しようとする課題】
【０００４】
上記説明のように、１つの製品で複数のブランドや仕向け地に対応するためには、当然全てのブランドや仕向け地に対応する画像データを保持しておく必要がある。一方で、再現可能な色の階調が多い場合、メモリに記憶する情報量も多くなる。例えば、ある製品が２５６階調の表示を可能にする場合、少なくとも１つの画像データの情報量は、階調値に画素数をかけた数となる。そのため、ブランドや仕向け地の増加に伴い、メモリ使用量が増加する結果となっていた。
【０００５】
本発明は、上記課題にかんがみてなされたもので、ある条件ごとに表示する画像の色を変化させる機能を有する場合でも、情報量を多くすることなく、メモリ資源を有効に活用することができる画像表示装置の提供を目的とする。
【課題を解決するための手段】
【０００６】
上記目的の少なくとも１つを達成するために、本発明では、所定の画像を表示する画像表示装置において、画面を表示するためのデータであって色の指定が行われていない枠データと、前記枠データに指定される色であって、当該画像表示装置が再現可能な階調数と比べて少ない数の色を、所定の選択条件毎に複数記録する色テーブルと、前記選択条件と前記色テーブルに記録された色データとを対応付ける参照データと、を記録する記録手段と、選択された前記選択条件に応じて前記参照データを参照して、前記枠データに前記色データを指定する色指定手段と、前記指定された色データをもとに前記枠データに係る画像を表示する表示手段と、を有する構成としてある。
【０００７】
上記のように構成された発明では、記録手段には、枠データと、当該画像表示装置が再現可能な階調数と比べて少ない数の色であって、枠データに指定される色であって、当該画像表示装置が再現可能な階調数と比べて少ない数の色を、選択条件毎に複数記録する色テーブルと、所定の選択条件と色テーブルに記録された色データとを対応付ける参照データと、を記録している。即ち、色テーブルに記録される色データは、画像表示装置が再現できる色データの中から任意に選択された色データのみが選択条件毎に記録されている。
そして、指定手段は、事前に選択された選択条件に応じて参照データを参照して、枠データに色データを指定する。即ち、参照データには選択条件毎に構成要素に指定する色データが記録されているため、ある選択条件が選択された場合、指定手段は参照データを参照してこの選択条件に対応する色データの指定を行う。
ここで、参照データに記録される選択条件としては、画像の色を変化させて画像間を区別する理由となるものであればどのようなものであってもよく、例えば、画像表示装置に指定されるブランドであったり、画像表示装置の仕向け地であってもよい。
そして、表示手段は、指定手段により指定された色データを用いて枠データの表示を行う。そのため、画像表示装置には、指定された条件に応じた色が付された画像が表示されることとなる。
【０００８】
また、前記色テーブルは、前記選択条件に含まれる第１の条件に対応付けられた色データを記録する第１のテーブルと、少なくとも第２の条件に対応付けられた色データを記録する第２のテーブルとを含み、前記第２のテーブルには、前記第１のテーブルに記録された色データと異なる色データが記録されており、前記色指定手段は、少なくとも前記第２の条件で色データを指定する場合は、前記第１のテーブルと前記第２のテーブルとを用いて色データを指定する構成としてもよい。
上記のように構成された発明では、第２のテーブルには、第１のテーブルに記録する色データとの差分のみが記録されるため、情報量をより削減することが可能となる。
【０００９】
そして、前記第１のテーブルは、記録される色データの彩度平均値が最も低いものであってもよい。
上記のように構成された発明では、彩度平均が最も低い色データを記録する第１のテーブルを他のテーブルの基準とすることで、他のテーブルとの差分を少なくすることが可能となり、情報量を低減することができる。
【００１０】
さらに、当該画像表示装置は、少なくとも前記第２のテーブルを管理するサーバーとネットワークを介して接続可能であって、前記色指定手段は、前記サーバーから前記第２のテーブルをダウンロードして使用してもよい。
上記のように構成された発明では、第１のテーブル以外はサーバー上で管理することで、記録手段に記録される情報量をより削減することができる。
【００１１】
また、前記枠データは、ＯＳＤ画像を表示するものとしてもよい。
上記のように構成された発明では、ＯＳＤ画像において本発明を適用することができる。
【００１２】
そして、前記選択条件は、当該画像表示装置に指定されるブランドの種別であってもよい。
【発明の効果】
【００１３】
以上説明したように、本発明によれば、ある条件ごとに表示する画像の色を変化させる機能を有する場合でも、情報量を多くすることなく、メモリ資源を有効に活用することができる。
【図面の簡単な説明】
【００１４】
【図１】画像表示装置１により表示されるＯＳＤ画像を示す図である。
【図２】画像表示装置１の構成を説明するためのブロック構成図である。
【図３】各メモリに記録される各データの関係を説明する図である。
【図４】画像表示装置によるＯＳＤ画像の表示を説明するフローチャートである。
【図５】第２の実施形態に係るＯＳＤ画像の表示を説明するフローチャートである。
【図６】各カラーテーブルを説明する図である。
【図７】第３の実施形態に係る画像表示装置１を説明するブロック図である。
【発明を実施するための形態】
【００１５】
以下、下記の順序に従って本発明の実施形態を説明する。
１．第１の実施形態：
２．第２の実施形態：
３．第３の実施形態：
４．その他の実施形態：
【００１６】
１．第１の実施形態： 
以下、図を参照して、この発明に係る画像表示装置を具体化した第１の実施の形態について説明する。図１は、画像表示装置１により表示されるＯＳＤ画像を示す図である。図２は、画像表示装置１の構成を説明するためのブロック構成図である。また、そして、図３は、各メモリに記録される各データの関係を説明する図である。
【００１７】
画像表示装置１は、テレビジョン受像機としての機能を備える。そのため、画像表示装置１は、図示しないアンテナと接続された状態で使用され、このアンテナから入力される映像データをもとに画像を表示することができる。さらに、画像表示装置１は、図１に示すように、リモコン装置２等を操作することで入力される操作入力により、画面にＯＳＤ（On Screen Display）画像を表示させることができる。このＯＳＤ画像は、画像表示装置１の内部で生成されたＯＳＤデータ（枠データに色データが指定されたもの）を用いて、表示される。 
【００１８】
図２に示すように、画像表示装置１は、デジタル基板１０と、表示ディスプレイ２０と、を備えている。デジタル基板１０は入力側でアンテナと接続され、出力側でＬＶＤＳケーブル３０を介して表示ディスプレイ２０と接続されている。即ち、この構成において、デジタル基板１０はアンテナが受信したテレビジョン放送から所定のチャンネルに係る映像データを抽出し、所定の処理を施した後、ＬＶＤＳケーブル３０を通じて映像データを表示ディスプレイ２０に出力する。
【００１９】
また、表示ディスプレイ２０は、例えば液晶ディスプレイであり、ディスプレイ本体や、ドライバーを備えている。ディスプレイ本体は、解像度に応じたＲ（レッド）、Ｇ（グリーン）、Ｂ（ブルー）の各画素により構成される。また、ドライバーは、ＬＶＤＳケーブル３０を通じて受信した映像データをデジタル・アナログ変換して、各画素を駆動するための駆動電圧を生成する。さらに、各画素とドライバーとは配線を通じて接続されており、この配線を通じて各画素には駆動電圧が供給される。
【００２０】
デジタル基板１０は、チューナー部１１と、ビデオメモリ１２と、メインコントローラー１３と、パレット参照用メモリ１４と、カラーパレット用メモリ１５と、Ｉ／Ｆ１６と、を備えている。また、上記したチューナー部１１と、ビデオメモリ１２と、メインコントローラー１３と、Ｉ／Ｆ１６とは、バス（例えば、Ｉ２Ｃバス）を介して接続され、互いに通信を行うことができる。
【００２１】
メインコントローラー１３は、図示しない内部メモリに記録されたプログラムを実行することで、画像表示装置１の駆動における統合的な制御を実現する他、ＯＳＤ部１３ａ、画像処理部１３ｂとしての機能を実現する。画像処理部１３ｂとしての機能として、メインコントローラー１３はビデオメモリ１２に記録される各種映像データに対して画素数変換処理、色補正処理等の処理を施す。また、ＯＳＤ部１３ａとしての機能として、メインコントローラー１３はＯＳＤ画像を表示するためのＯＳＤデータを生成する。
【００２２】
ＯＳＤ画像は、ユーザーがリモコン装置２等の所定の操作キーを操作した場合、画面に表示される画像である。図１Ａでは、ＯＳＤ画像の一例として、このＯＳＤ画像を装飾する帯状の画像ＥＧ１や、「ＰＩＣＴＵＲＥ」、「ＳＯＵＮＤ」、「ＳＥＴＵＰ」、「ＦＥＡＴＵＲＥ」、「ＬＡＮＧＵＡＧＥ」、「Ｂｌｕ−ｒａｙ」（Ｂｌｕ−ｒａｙは登録商標）の各種設定を行なうための文字列ＥＷ１が付されたアイコンの外枠ＥＧＮ（Ｎは２〜７までの整数）、各種アイコンを選択した際、色が反転して表示されるカーソルＥＧ８、及びその他の文字列ＥＷ２が表示されている。また、帯状の画像ＥＧ１には、ブランドを示すロゴ画像（ロゴデータ）が表示されている。以下、本明細書では、ＯＳＤ画像を構成する各部を構成要素とも記載する。
【００２３】
また、上記した各構成要素の内、ブランド又は仕向け地によっては指定色の変更のないものを、文字列ＥＷ１、ＥＷ２として、ブランド又は仕向け地によって指定色の変更があるものを、帯状の画像ＥＧ１、アイコンの外枠ＥＧ２〜ＥＧ７、カーソルＥＧ８とする。なお、ここで記載されるＯＳＤ画像は一例にすぎず、ＯＳＤ画像の構成に応じて適宜変更されるものである。
【００２４】
図１Ｂは、図１Ａに示されたＯＳＤ画像の一部を拡大して示す模式図である。図１Ｂに示すように、ＯＳＤデータは、ｘ方向と、ｙ方向とに所定数のビットが配列したビットマップデータで構成される。ビットマップデータを構成する各ビット（ｘｉ、ｙｊ）には１０２４色から選択された２５６色の内のいずれかの色データが指定されている。また、各ビットの内、上記した各構成要素を構成するビットを枠データとも記載する。例えば、帯状の画像ＥＧ１は、この画像を構成するビットの集合である枠データに対して所定の色データが付されることで構成される。ここで、色データとは、Ｒ、Ｇ、Ｂの各色要素を混色して再現される色や、Ｒ、Ｇ、Ｂのいずれかの色要素の単色により再現される色を意味する。
【００２５】
画像表示装置１では、各ビットに１０２４色の内いずれかの色データを指定するためにカラーＩＤが用いられる。このカラーＩＤは、カラーテーブルＣＬＵＴ（後述）が記録する色データのいずれかに対応付けられている。例えば、本実施形態では、カラーテーブルＣＬＵＴには、１０２４色の色データから選択された２５６色の色データが記録されており、カラーＩＤはカラーテーブルＣＬＵＴに記録された２５６色の色データのいずれかに対応している。なお、本実施形態では、カラーＩＤはビット毎に設定される構成であるが、これ以外にも上記した構成要素を１単位としてカラーＩＤを示すものであってもよい。
【００２６】
パレット参照用メモリ１４には、指定されたブランド又は仕向け地に対応したカラーテーブルＣＬＵＴを参照するためのブランド指定テーブル１４ａや、ＯＳＤデータのカラーＩＤにより特定される色データを規定する参照用テーブルＲＬＵＴが記録されている。
【００２７】
即ち、図３Ａに示すように、ブランド指定テーブル１４ａには各ブランドと、参照用テーブルＲＬＵＴ及びカラーテーブルＣＬＵＴとが１対１で対応付けて記録されている。本実施形態では、ブランドを「Ａ」〜「Ｅ」の５種類とするため、ブランド指定テーブル１４ａには、各ブランドに対応づけて５種類の参照用テーブルＲＬＵＴ１〜５とカラーテーブルＣＬＵＴ１〜５が記録されている。
【００２８】
また、参照用テーブルＲＬＵＴは、ブランド指定テーブル１４ａにより指定されるブランドの数に応じて、パレット参照用メモリ１４に複数記録されている。即ち、上記のように５種類のブランド表示が可能な場合は、パレット参照用メモリ１４には５種類の色データの組合せが異なる参照用テーブルＲＬＵＴ１〜５が記録されている。ここで、参照用テーブルＲＬＵＴには、各ビットに対応付けられたカラーＩＤと、任意のカラーテーブルＣＬＵＴが記録する色データとが１対１で対応づけて記録されている。そして、各色データの配列は、Ｒ、Ｇ，Ｂの各色要素の階調値に応じて配列順序が規定されている。
【００２９】
カラーパレット用メモリ１５には、カラーＩＤが指定する色データを記録するカラーテーブルＣＬＵＴがブランド毎に記録されている。即ち、上記のように５種類のブランド表示が可能な場合は、カラーパレット用メモリ１５には５種類の色データの組合せが異なるカラーテーブルＣＬＵＴ１〜５が記録されている。更に、各カラーテーブルＣＬＵＴには、１０ビット（１０２４色）の色データの中から事前に選択された８ビット（２５６色）の色データが所定の配列（図３では０〜２５５の２５６列）で記録されている。また、各色データには、この色データの色要素となるＲ、Ｇ，Ｂの各色の階調値が対応付けて記録されている。そして、カラーテーブルＣＬＵＴに記録される各色データは、色要素となるＲ、Ｇ、Ｂの各階調値の順にその配列が設定されている。
以上により、本発明の参照用データは、ブランド指定テーブル１４ａと、参照用テーブルＲＬＵＴとで実現される。また、本発明の色テーブルはカラーテーブルＣＬＵＴにより実現される。
【００３０】
図４は、画像表示装置によるＯＳＤ画像の表示を説明するフローチャートである。図４に示すフローチャートでは、ステップＳ１０〜Ｓ３０により、ＯＳＤデータの各ビットに指定される色データ、及びロゴデータの選択が行われる。そして、ステップＳ４０、５０により色データの指定が行われ、ステップＳ６０、７０によりＯＳＤ画像が表示される。
【００３１】
ステップＳ１０では、メインコントローラー１３（ＯＳＤ部１３ａ）は、ブランドの選択を受け付ける。この処理は、画像表示装置１の工場出荷モードを選択した場合に入力が可能となる処理である。以下、一例として、リモコン装置２を操作してブランド「Ａ」の選択を示す操作入力を行った場合を元に説明を行う。
【００３２】
ステップＳ２０では、メインコントローラー１３（ＯＳＤ部１３ａ）は、受け付けたブランドの種別に従って、参照用テーブルＲＬＵＴとカラーテーブルＣＬＵＴを選択する。即ち、メインコントローラー１３は、パレット参照用メモリ１４に記録されたブランド指定テーブル１４ａを参照し、ステップＳ１０で選択されたブランドに対応する参照用テーブルＲＬＵＴとカラーテーブルＣＬＵＴを選択する。上記のように、ブランド「Ａ」が選択されている場合には、メインコントローラー１３は、ブランド指定テーブル１４ａのブランド「Ａ」に対応する参照用テーブルＲＬＵＴ１とカラーテーブルＣＬＵＴ１とを参照対象とする。
無論、これ以外にも、ブランド「Ｂ」が選択されている場合は、メインコントローラー１３はブランド指定テーブルを参照してブランド「Ｂ」に対応する参照用テーブルＲＬＵＴ２とカラーテーブルＣＬＵＴ２とを参照する。以下、この参照用テーブルＲＬＵＴ及びカラーテーブルＣＬＵＴを用いてＯＳＤ画像における各色データが選択されていく。
【００３３】
ステップＳ３０では、メインコントローラー１３（ＯＳＤ部１３ａ）は、受け付けたブランドの種別に従って、ロゴデータを選択する。上記のようにブランド「Ａ」が選択されている場合は、このブランド「Ａ」に係るロゴデータを図示しない内部メモリから選択する。
【００３４】
ステップＳ４０では、メインコントローラー１３（ＯＳＤ部１３ａ）は、ＯＳＤデータを構成する枠データに付与する色データの指定を行う。即ち、まず、メインコントローラー１３は、枠データを構成する各ビット（ｘｉ、ｙｊ）に対応付けられたカラーＩＤに対応する色データを選択されたブランドに対応する参照テーブル１４ｂをもとに選択する。そして、メインコントローラー１３は、参照テーブル１４ｂで指定された各色データを、指定されたブランドに対応するカラーテーブルＣＬＵＴから選択し、この色データを構成するＲ、Ｇ、Ｂの各値を取得する。
【００３５】
ステップＳ５０では、ＯＳＤデータを構成する全ての枠データ（ビット（ｘｉ、ｙｊ））に対して色データの指定が行われていない場合（ステップＳ５０：ＮＯ）、メインコントローラー１３（ＯＳＤ部１３ａ）は、全てのビットに対して色データの指定が行われるまで処理を繰返す。
【００３６】
一方、全ての枠データに対して色データの指定が行われた場合（ステップＳ５０：ＹＥＳ）、ステップＳ６０において、メインコントローラー１３（ＯＳＤ部１３ａ）は、各ビットに指定される色データ及びロゴデータを用いて、表示用データを作成する。即ち、メインコントローラー１３は、各ビット（ｘｉ、ｙｊ）に対して色データの指定を行うとともに、ロゴデータをこのビットデータに重畳して、表示ディスプレイ２０に出力するための表示用データを生成する。以上により本発明の色指定手段は、ステップＳ４０、５０の処理により実現される。
【００３７】
そして、ステップＳ７０では、メインコントローラー１３は、生成した表示用データをＬＶＤＳケーブル３０を通じて表示ディスプレイ２０に出力して、ＯＳＤ画像を表示させる。そのため、表示ディスプレイ２０には、選択されたブランドに従って、ロゴマーク及び各枠データに所定の色が付されたＯＳＤ画像が表示される。以上により本発明の表示手段は、ステップＳ６０、７０の処理により実現される。
【００３８】
一例として、図１に示すように、表示ディスプレイ２０に表示されるＯＳＤ画像では、帯状のアイコンＥＧ１、アイコンの外枠ＥＧ２〜ＥＧ７、及びアイコンを選択するためのカーソルＥＧ８の色、更にはロゴ画像が選択されたブランドに応じて変化することとなる。
【００３９】
以上説明したようにこの第１の実施形態では、画像表示装置１は色データ以外の構成が含まれる枠データと、ブランド又は仕向け値に応じてこの枠データに指定される色データを個別に記録しておくため、色データを変更するだけでブランド又は仕向け地に応じたＯＳＤ画像を表示させることができる。また、色データは、条件毎に指定される数だけカラーテーブルＣＬＵＴに記録しておくため、記録容量を少なくすることができる。
【００４０】
２．第２の実施形態：
この第２の実施形態では、ブランド毎のカラーテーブルＣＬＵＴは、基準となる（第１の条件）カラーテーブルＣＬＵＴ（第１のテーブル）と、このカラーテーブルＣＬＵＴ以外のカラーテーブルであって（第２の条件）差分のみを記録するカラーテーブルＣＬＵＴ（少なくとも第２のテーブルを含む。）とで構成される点で第１の実施形態と異なる。即ち、第２の実施形態では、ブランドの数に応じてカラーテーブルＣＬＵＴをカラーパレット用メモリ１５に記録する構成において第１の実施形態と同であるものの、基準となるカラーテーブルＣＬＵＴ以下のカラーテーブルＣＬＵＴでは、基準となるカラーテーブルＣＬＵＴとの差のみを記録する構成において異なる。
【００４１】
図５は、第２の実施形態に係るＯＳＤ画像の表示を説明するフローチャートである。また、図６は、各カラーテーブルを説明する図である。以下の説明では、基準となるカラーテーブルをカラーテーブルＣＬＵＴ１とし、それ以外のカラーテーブルをカラーテーブルＣＬＵＴ２〜５とする場合を例に説明を行う。
【００４２】
ステップＳ１１０では、ブランドの選択を受け付ける。以下、一例として、リモコン装置２を操作してブランド「Ｂ」の選択を示す操作入力を行った場合をもとに説明を行う。
【００４３】
ステップＳ１２０では、メインコントローラー１３は、ブランド指定テーブル１４ａを参照して、受け付けたブランドの種別に従って、参照用テーブルＲＬＵＴ及びカラーテーブルＣＬＵＴを選択する。上記のように、ブランド「Ｂ」が選択されている場合には、メインコントローラー１３は、ブランド指定テーブル１４ａを参照してブランド「Ｂ」に対応する参照用テーブルＲＬＵＴ２及びカラーテーブルＣＬＵＴ２を選択する。
【００４４】
図６Ａに示すように、カラーテーブルＣＬＵＴ１には、第１の実施形態同様、１０２４色の色データの内から選択された、２５６色の色データが色要素の階調値に応じた配列で記録されている。一方、図６Ｂに示すように、カラーテーブルＣＬＵＴ２には、各配列の内、カラーテーブルＣＬＵＴ１と異なる色データが記録された配列のみが記録されている。そのため、例えば、カラーテーブルＣＬＵＴ２には、カラーテーブルＣＬＵＴ１に記録されたのと同じ色データに対しては、ＲＧＢの色要素の記録が省略されている。図６Ｂでは、カラーテーブルＣＬＵＴ２の上から４〜６番目の配列の色データは、カラーテーブルＣＬＵＴ１と同様の色データが記録されているため、色データの色要素となるＲＧＢの各値が省略されている。一方、それ以外の配列の色データはカラーテーブルＣＬＵＴ２に特有の色データであるため、ＲＧＢの色要素が記録されている。
【００４５】
ここで、基準となるカラーテーブルＣＬＵＴ１の選択は、カラーテーブルＣＬＵＴに記録される色データの内、彩度平均が最も小さいものを用いる。なお、ＲＧＢの値から彩度を算出する方法としては、周知の変換式を用いればよい。
【００４６】
基準テーブルとなるカラーテーブルＣＬＵＴ１は、色データの分布において、他のカラーテーブルと比べて彩度平均が最も小さいものとなる。基準カラーテーブルＣＬＵＴ１を、彩度平均の最も小さいものを基準に選択することで、（ｉ）基準となるカラーテーブルと他のカラーテーブルとの間で重複する色データが多くなる、（ii）基準となるカラーテーブルＣＬＵＴ及び他のカラーテーブルＣＬＵＴの作成において破綻を回避することが可能となる。特に、上記（ｉ）においては、差分量が少なくなるため、基準となるカラーテーブルＣＬＵＴ以外のカラーテーブルＣＬＵＴが記録する色データの量を少なくすることが可能となる。
【００４７】
ステップＳ１３０では、メインコントローラー１３は、受け付けたブランドの種別に従って、ロゴデータを選択する。ここでは、ブランド「Ｂ」が選択されているため、メインコントローラー１３はブランド「Ｂ」に対応したロゴデータを選択する。
【００４８】
ステップＳ１４０では、指定されたブランドに係るカラーテーブルがカラーテーブルＣＬＵＴ１以外である場合（ステップＳ１４０：ＮＯ）、ステップＳ１５０では、メインコントローラー１３は、カラーテーブルＣＬＵＴ１とカラーテーブルＣＬＵＴ１以外のテーブルから、ブランドに対応するカラーテーブルを合成する。例えば、メインコントローラー１３は、カラーテーブルＣＬＵＴ１に対してカラーテーブルＣＬＵＴ２に記録された情報だけを更新し、ブランド「Ｂ」に対応する合成カラーテーブルＣＬＵＴ’２を生成する。
【００４９】
一方、指定されたブランドに係るカラーテーブルがカラーテーブルＣＬＵＴ１である場合（ステップＳ１４０：ＹＥＳ）、ステップＳ１５０では、メインコントローラー１３は、色データを指定するためにステップＳ１２０で選択されたカラーテーブルＣＬＵＴ１を用いることとなる。
【００５０】
ステップＳ１６０では、メインコントローラー１３は、ＯＳＤデータを構成する各枠データに付与する色データの指定をステップＳ１５０で生成した合成カラーテーブルＣＬＵＴ’を用いて行う。即ち、メインコントローラー１３は、枠データを構成するビット（ｘｉ、ｙｊ）に対応付けられたカラーＩＤに対応する色データを参照テーブル１４ｂをもとに選択し、カラーテーブルＣＬＵＴ’から選択された色データの色要素（Ｒ，Ｇ、Ｂの各値）を取得する。
【００５１】
ステップＳ１７０では、ＯＳＤデータを構成する全ての枠データに対して色データの指定が行われていない場合（ステップＳ１７０：ＮＯ）、全ての枠データに対して色データの指定が行われるまで処理を繰返す。
【００５２】
一方、全ての枠データ（ビット（ｘｉ、ｙｊ））に対して色データの指定が行われた場合（ステップＳ１７０：ＹＥＳ）、ステップＳ１８０において、メインコントローラー１３は、各枠データに指定される色データ及びロゴデータを用いて、表示用データを作成する。
【００５３】
そして、ステップＳ１９０では、メインコントローラー１３は、生成した表示用データをＬＶＤＳケーブル３０を通じて表示ディスプレイ２０に出力して、ＯＳＤ画像を表示させる。そのため、表示ディスプレイ２０には、ブランド「Ｂ」に従って、ロゴマーク及び所定の色を備えるＯＳＤ画像が表示される。
【００５４】
以上、説明したように、この第２の実施形態では、第１の実施形態と同様の構成に加えて、各ブランド又は仕向け地での色データを、基準となるデータと、この基準データと異なる色データの配列のみを記録したデータとで構成するため、記録手段に記録する情報量をより少なくすることができる。
【００５５】
３．第３の実施形態：
図７は、第３の実施形態に係る画像表示装置１を説明するブロック図である。図７に示す画像表示装置１は、ネットワークＮを通じてサーバー２００と接続可能な構成である。また、サーバー２００は基準となるカラーテーブルＣＬＵＴ以外のカラーテーブルＣＬＵＴをＨＤＤ（hard disk drive）記録している。即ち、第３の実施形態は、基準となるカラーテーブルＣＬＵＴ以外のカラーテーブルＣＬＵＴの記録場所がサーバー２００となる構成において第１及び第２の実施形態と異なる。
【００５６】
上記構成において、例えば、図５のステップＳ１２０において、メインコントローラー１３は、指定されたブランド等に対応したカラーテーブルＣＬＵＴ２をサーバー２００からダウンロードする。そして、ステップＳ１５０において、メインコントローラー１３はダウンロードしたカラーテーブルＣＬＵＴ２及びカラーテーブルＣＬＵＴ１を用いて合成テーブルを作成する。
【００５７】
上記構成とすることで、基準となるカラーテーブルＣＬＵＴ以外のカラーテーブルＣＬＵＴをサーバー２００で管理させることが可能となるため、画像表示装置１は、基準となるカラーテーブルのみを記録しておけばよく、メモリに記録する情報量を大幅削減することができる。
【００５８】
４．その他の実施形態：
本発明は様々な実施形態が存在する。
画像表示装置として、テレビジョン受像機の機能を備えることは一例であり、これ以外にも所定の画像を表示させるための画像データを出力可能なものであれば表示装置や、所定のメディアに記録されたデータを再生する再生装置等であってもよい。
【００５９】
また、参照データを参照用テーブル及びカラーテーブルにより構成することは一例であり、カラーテーブルのみで構成してもよい。
【００６０】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００６１】
１…画像表示装置、２…リモコン装置、１０…デジタル基板、１１…チューナー部、１２…ビデオメモリ、１３…メインコントローラー、１４…パレット参照用メモリ、１５…カラーパレット用メモリ、１６…Ｉ／Ｆ、２０…表示ディスプレイ、３０…ＬＶＤＳケーブル
【図１】
2013101223.tif 000003
【図２】
2013101223.tif 000004
【図３】
2013101223.tif 000005
【図４】
2013101223.tif 000006
【図５】
2013101223.tif 000007
【図６】
2013101223.tif 000008
【図７】
2013101223.tif 000009